(57)【要約】【課題】  持ち運びを可能にして設置を容易にするとともに、温水利用して除雪した雪を簡易に融雪できるようにして除雪作業の労力を低減できるようにし、一般住宅等で容易に用いることができるようにした。【解決手段】  底壁１１及び底壁１１から立設される側壁１２を有し側壁１２により形成される開口１３から雪が投入される消雪槽１０を備え、消雪槽１０の底壁１１及び側壁１２を可撓性の樹脂シートで形成し、消雪槽１０を折りたたみ可能に保持する保持フレーム２０を設け、消雪槽１０の下部に温水送給パイプ４１が接続され温水送給パイプ４１からの温水を消雪槽１０の内部に送給可能にする温水送給口４０を設け、消雪槽１０の側壁１２上部に消雪槽１０内で上昇した水が排出される排水口４５を設けた。【選択図】  図１
2005097912.tif 000002
【特許請求の範囲】
【請求項１】
底壁及び該底壁から立設される側壁を有し該側壁により形成される開口から雪が投入される消雪槽を備え、該消雪槽の底壁及び側壁を可撓性の樹脂シートで形成し、上記消雪槽を折りたたみ可能に保持する保持フレームを設け、上記消雪槽の下部に温水送給パイプが接続され該温水送給パイプからの温水を該消雪槽の内部に送給可能にする温水送給口を設け、上記消雪槽の側壁上部に該消雪槽内で上昇した水が排出される排水口を設けたことを特徴とする融雪装置。
【請求項２】
上記消雪槽の底壁を矩形状に形成するとともに上記側壁を該底壁の各辺に連接される４つの壁体を備えて構成し、上記保持フレームを、上記各壁体に付帯させられ、剛性を有し上記壁体の側辺に沿う縦柱部及び当該壁体の上辺に沿う横柱部によりΠ字状に形成されるフレーム部材を備えて構成し、
上記消雪槽の相対向する壁体のうち、少なくともいずれかの相対向する壁体の上記フレーム部材を当該壁体に対して着脱自在に形成したことを特徴とする請求項１記載の融雪装置。
【請求項３】
上記側壁の各壁体の両側辺に、上部に挿通口を有し上記フレーム部材の縦柱部が挿通されて保持される袋状の保持部を設けたことを特徴とする請求項２記載の融雪装置。
【請求項４】
上記側壁の各壁体の上辺に延設部を形成し、上記延設部を上記フレーム部材の横柱部を覆って折り返し、該延設部で上記横柱部を保持するとともに、少なくともいずれか相対向する壁体のフレーム部材を覆う延設部の端縁を該延設部が設けられる壁体に着脱可能に止着する止着部を設けたことを特徴とする請求項２または３記載の融雪装置。
【請求項５】
上記止着部を、上記各延設部の端縁及び上記各側壁のいずれか一方に設けられる雄形部材と、上記各延設部の端縁及び上記各側壁のいずれか他方に設けられ上記雄形部材を着脱自在に係止する雌形部材とを備えて構成したことを特徴とする請求項４記載の融雪装置。
【発明の詳細な説明】
【技術分野】
【０００１】
本発明は、庭や道路等の屋外に積もった雪を溶かす融雪装置に関し、特に風呂の残り湯等の一般家庭から不要となって排出される温水を利用する融雪装置に関する。
【背景技術】
【０００２】
従来、この種の温水を利用して雪を融雪する融雪装置にあっては、例えば、特許文献１（実開昭５６−８７５１６号公報）に記載されたものが知られている。
【０００３】
図６に示すように、この融雪装置Ｓａには、道路の両側部路面の下部に設けられる通路２が備えられている。この通路２は、下部にホテルや旅館等の建物３の風呂場３ａ等より排出された温泉４が流されるとともに、上部に空気層５を有している。この通路２は、道路１の両側部に埋設され上側に開口を有した通路構成部材６と、この通路構成部材６の開口を覆うとともに平行になる蓋部材７とから構成されている。
この装置Ｓａを用いる場合は、建物３の風呂場３ａより温泉４を排出する。排出された温泉４は、排出管８を介して道路１の両側部路面の下面に設けた通路２を通って下水等に排出される。そして、排出された温泉４が通路を通るとき、その熱が空気層５を介して道路１の両側部路面に伝わって、道路１の両側部の路面上に積もった雪を融雪する。
【０００４】
【特許文献１】実開昭５６−８７５１６号公報
【発明の開示】
【発明が解決しようとする課題】
【０００５】
ところで、一般に住宅では、家の玄関先等は、人がスコップ等により除雪し一時的に庭に除けるようにするが、その除雪した雪が溜まって置き場が無くなると、トラック等を介して、所謂、雪捨て場にいちいち移送しなければならず、この作業が煩雑であるという問題があった。その為、上記従来の融雪装置Ｓａのような設備を利用して風呂の排温水を少しでも利用して融雪することが考えられる。
しかしながら、このような上記従来の融雪装置Ｓａにあっては、道路１の両側部路面の下部に設けられるので、既存の道路１に設けるには、道路１の舗装を剥いだりする等の工事が必要となり、一般住宅用に不向きになっていた。
また、この装置Ｓａは固定なので、汎用性に劣るという問題もあった。
【０００６】
本発明は上記の問題点に鑑みて為されたもので、持ち運びを可能にして設置を容易にするとともに、温水を利用して除雪した雪を簡易に融雪できるようにして除雪作業の労力を低減できるようにし、一般住宅等で容易に用いることができる融雪装置を提供することを目的とする。
【課題を解決するための手段】
【０００７】
このような目的を達成するための本発明の融雪装置は、底壁及び該底壁から立設される側壁を有し該側壁により形成される開口から雪が投入される消雪槽を備え、該消雪槽の底壁及び側壁を可撓性の樹脂シートで形成し、上記消雪槽を折りたたみ可能に保持する保持フレームを設け、上記消雪槽の下部に温水送給パイプが接続され該温水送給パイプからの温水を該消雪槽の内部に送給可能にする温水送給口を設け、上記消雪槽の側壁上部に該消雪槽内で上昇した水が排出される排水口を設けている。
【０００８】
従って、この融雪装置を用いる場合は、まず、この消雪槽を折りたたみ状態から組み立て、温水送給口に温水送給パイプを接続する。この場合、温水送給パイプには、温水の供給源としてお風呂の残り湯等の温水か、あるいは家庭用のボイラーからの温水を直接流すようにする。
そして、この消雪槽に除雪した雪を投入していく。ある程度雪が溜まってから、あるいは、雪を投入している間に、温水送給口から消雪槽内に温水を送給する。
【０００９】
この際、消雪槽内に投入された雪は温水送給パイプからの温水により溶かされていく。溶かされた雪及び温水送給パイプからの温水により、消雪槽内の水位が上昇していく。この消雪槽内の水位の上昇により、消雪槽内の水が排水口から排出される。
これにより、除雪後の雪の処理の際には、温水送給パイプからの温水を消雪槽の内部に送給すればよく、温水を利用して簡易に融雪される。そのため、除雪後の雪が溶かされて水になり下水等に流すことができるので、いちいち雪捨て場等に移送しなくてもよくなり、それだけ除雪作業の労力が低減される。このようにして、消雪槽に順次雪を投入していき、消雪槽の周囲の雪を除雪していく。
【００１０】
また、ホース等の管体を介して下水等への配管ができる。そのため、消雪槽の水が開口から溢れずに排出される。また、排水口が温水送給パイプよりも上に位置しているので、温水送給パイプからの温水が消雪槽に投入された雪に行き渡ってから排水されるので、雪を効率よく溶かすことができる。
【００１１】
次に、消雪槽の内部の水の排出を終えた後、この融雪装置を片付ける場合には、消雪槽を折りたたむ。そのため、折りたたんだ状態で、様々な場所に容易に持ち運びができるようになり、汎用性を向上させることができる。また、折りたたんだ状態では、収納も容易になる。
そして、別の場所の除雪を行なう場合は、その除雪する場所に、この融雪装置を持ち運んで再び組み立てて除雪を行なう。
【００１２】
更に、必要に応じ、上記底壁を矩形状に形成するとともに上記側壁を該底壁の各辺に連接される４つの壁体を備えて構成し、上記保持フレームを、上記各壁体に付帯させられ、剛性を有し上記壁体の側辺に沿う縦柱部及び当該壁体の上辺に沿う横柱部によりΠ字状に形成されるフレーム部材を備えて構成し、上記消雪槽の相対向する壁体のうち、少なくともいずれかの相対向する壁体の上記フレーム部材を当該壁体に対して着脱自在に形成している。
【００１３】
融雪装置を組み立てる際は、フレーム部材の縦柱部を壁体の側辺に、フレーム部材の横柱部を壁体の上辺に沿うように付帯させる。
Π形なので、簡単な構造で、消雪槽を形成できる。
消雪槽の折りたたみの際には、着脱自在に形成されたフレーム部材を消雪槽から取り外し、取り外したフレーム部材は消雪槽内に入れるかまたは、消雪槽に固定された相対向するフレーム部材同士を合わせるように、消雪槽を扁平状に折りたたむ。もしくは、フレーム部材をすべて取り外して底壁及び側壁を折りたたむ。
【００１４】
そのため、フレーム部材を取り外すだけで、保持フレームを分解することができ、容易に融雪装置の折りたたみを行なうことができる。また、この融雪装置の不使用の際は、消雪槽を折りたたんで保管する。融雪装置が折りたたまれてその容積が小さくなり、場所をあまり必要としないので保管も容易になる。
【００１５】
更にまた、必要に応じ、上記側壁の各壁体の両側辺に、上部に挿通口を有し上記フレーム部材の縦柱部が挿通されて保持される袋状の保持部を設けている。
フレーム部材の装着の際には、フレーム部材の一対の縦柱部を、各側壁の壁体の各側辺に設けられる保持部に挿通口から挿通する。縦柱部を保持部から抜いて、このフレーム部材を取り外せばよくなり、容易に折りたたむことができる。
【００１６】
また、必要に応じ、上記側壁の各壁体の上辺に延設部を形成し、上記延設部を上記フレーム部材の横柱部を覆って折り返し、該延設部で上記横柱部を保持するとともに、少なくともいずれか相対向する壁体のフレーム部材を覆う延設部の端縁を該延設部の設けられる壁体に着脱可能に止着する止着部を設けている。
【００１７】
消雪槽の組立の際には、壁体の上辺に設けられる延設部でフレーム部材を覆って折り返して、このフレーム部材を保持し、延設部の端縁を止着部により側壁に止着する。
消雪槽の内部の水の排出を終えた後、この融雪装置を折りたたむ場合には、まず、延設部の端縁を壁体から分離し、フレーム部材の横柱部を覆う壁体の上辺に形成される延設部を取り外してから、フレーム部材の縦柱部を保持部から抜いて、このフレーム部材を取り外す。
そのため、消雪槽にフレーム部材を容易に付帯させられ、フレーム部材の着脱も容易になる。
【００１８】
そしてまた、必要に応じ、上記止着部を、上記各延設部の端縁及び上記各側壁のいずれか一方に設けられる雄形部材と、上記各延設部の端縁及び上記各側壁のいずれか他方に設けられ上記雄形部材を着脱自在に係止する雌形部材とを備えて構成している。
この融雪部材を折りたたむ場合には、止着部の雄形部材と雌形部材とを分離し、フレーム部材の横柱部を覆う壁体の上辺に形成される延設部を取り外す。そのため、延設部のフレーム部材からの取り外しが容易になる。
【発明の効果】
【００１９】
以上説明したように、本発明の融雪装置によれば、底壁及び底壁から立設される側壁を有し側壁により形成される開口から雪が投入される消雪槽を備え、消雪槽の底壁及び側壁を可撓性の樹脂シートで形成し、消雪槽を折りたたみ可能に保持する保持フレームを設け、消雪槽の下部に温水送給パイプが接続され温水送給パイプからの温水を消雪槽の内部に送給可能にする温水送給口を設けたので、装置を容易に移動できるようになり、この装置を持ち運んで融雪できるようになり、それだけ汎用性を向上させることができる。また、持ち運びが簡単なことから、設置も容易にすることができる。
更に、温水送給口からの温水により、簡易に温水を利用して融雪でき、除雪した雪を別の場所にいちいち移送しなくてもよくなり、除雪の作業を容易にすることができ、一般住宅等等においても容易に用いることができる。
【発明を実施するための最良の形態】
【００２０】
以下、添付図面に基づいて、本発明を実施するための最良の形態に係る融雪装置について詳細に説明する。
【００２１】
図１乃至図５には、融雪装置Ｓを示している。この融雪装置Ｓは、底壁１１及びこの底壁１１から立設される側壁１２を有し側壁１２により形成される開口１３から雪５５が投入される消雪槽１０が備えられている。
この消雪槽１０の底壁１１は矩形状に形成されるとともに、側壁１２は底壁１１の各辺に連接される４つの壁体１２ａを備えて構成されている。この底壁１１及び側壁１２は折りたたみ可能な可撓性の樹脂シートで形成されている。
また、消雪槽１０には、この消雪槽１０を折りたたみ可能に保持する保持フレーム２０が設けられている。
【００２２】
保持フレーム２０は、各壁体１２ａに付帯させられ、剛性を有し壁体１２ａの側辺に沿う縦柱部２２及び当該壁体１２ａの上辺に沿う横柱部２３によりΠ字状に形成されるフレーム部材２１ａ，２１ｂを備えて構成されている。
フレーム部材２１ａ，２１ｂの横柱部２３及び縦柱部２２は、パイプ状に形成されている。符号２４は、縦柱部２２と横柱部２３とを接続する樹脂製のエルボ管である。
【００２３】
また、フレーム部材２１ａ，２１ｂは、消雪槽１０の相対向する壁体１２ａのうち、少なくともいずれかの相対向する壁体１２ａに対して着脱自在に形成されている。
本発明の実施の形態においては、長手方向に相対向する壁体１２ａに設けられるフレーム部材２１ａを着脱自在に形成した。
この融雪装置Ｓの不使用の際には、例えば、図３に示すように、長手方向に相対向する壁体１２ａからフレーム部材２１ａを夫々取り外すとともに、内側に折り込んで、長手方向に直交する方向に相対向する壁体１２ａ同士を合わせて扁平状にする。
【００２４】
消雪槽１０の側壁１２の各壁体１２ａの両側辺には、上部に挿通口３１を有しフレーム部材２１ａの縦柱部２２が挿通されて保持される袋状の保持部３０が設けられている。
保持部３０は、消雪槽１０と同様の樹脂シートで形成され、壁体１２ａの外側の側辺に縫いつけられている。
また、側壁１２の各壁体１２ａの上辺には、延設部３５が形成されている。
長手方向に相対向する壁体１２ａの延設部３５は、フレーム部材２１ａの横柱部２３を覆って折り返しされて、上記横柱部２３を保持している。また、消雪槽１０には、フレーム部材２１ａを覆う延設部３５の端縁３６を、この延設部３５の設けられる壁体１２ａに着脱可能に止着する止着部３７が設けられている。
【００２５】
図２に示すように、止着部３７には、各延設部３５の端縁３６及び各側壁１２のいずれか一方に設けられる雄形部材３８と、各延設部３５の端縁３６及び各側壁１２のいずれか他方に設けられ雄形部材３８を着脱自在に係止する雌形部材３９とを備えて構成されている。
雄形部材３８及び雌形部材３９は、市販の工業用スナップで構成されている。
【００２６】
この止着部３７の雄形部材３８は延設部３５の端縁３６に設けられ、雌形部材３９は消雪槽１０の側壁１２に設けられている。また、雄形部材３８及び雌形部材３９は、消雪槽１０の側壁１２及び延設部３５に複数設けられている（実施の形態では４コ）。
【００２７】
また、長手方向に直交する方向に相対向する壁体１２ａに設けられるフレーム部材２１ｂは、長手方向に相対向する壁体１２ａに設けられるフレーム部材２１ａと異なり、横柱部２３が、側壁１２の各壁体１２ａの上辺に設けられる延設部３５に覆われて保持される一方、延設部３５の端縁３６が、側壁１２に縫いつけられて固着されている。これ以外の構成は、長手方向に相対向する壁体１２ａに設けられるフレーム部材２１ａと同様に側壁１２の壁体１２ａに保持させられている。
【００２８】
消雪槽１０の下部には、温水送給パイプ４１が接続される温水送給パイプ４１からの温水５６を消雪槽１０の内部に送給可能にする温水送給口４０が設けられている。この温水送給口４０は、消雪槽１０の側壁１２の壁体１２ａの下部に設けられている。
また、図２に示すように、温水送給口４０には、温水５６の流れをコック４２ａの操作によりＯＮ，ＯＦＦするバルブ４２が接続されている。バルブ４２には、温水送給パイプ４１に差し込まれる差込部４３が形成されている。この差込部４３の外周には、温水送給パイプ４１が温水送給パイプ４１の内部を流れる温水５６の水圧により、温水送給口４０から容易に抜けないようにするための凸条が複数列設されている。
温水送給口４０に接続される温水送給パイプ４１は、例えば、ホース等の可撓性の管体で形成され、一端側が温水送給口４０に接続されるとともに、他端側が温水５６の供給源５０に接続されている。温水５６の供給源５０としては、お風呂の残り湯等の温水５６を流す。
【００２９】
消雪槽１０の側壁１２上部には、消雪槽１０内で上昇した水５７が排出される排水口４５が設けられている。
排水口４５には、ホース４７が接続されている。ホース４７の、一端は排水口４５に設けられる挿入部４６を介して排水口４５に接続されるとともに、他端は下水に接続されている。挿入部４６の外周には、ホース４７が内部を流れる水５７の水圧により容易に抜けないようにするための凸条が外周に複数列設されている。
【００３０】
従って、この融雪装置Ｓを用いる場合は、図１乃至４に示すように、まず、扁平状に折りたたまれた消雪槽１０を組み立てる。
詳しくは、長手方向に直交する方向に相対するフレーム部材２１ｂ同士を離間させ、消雪槽１０をボックス状に開き、この状態で、長手方向に相対向する各側壁１２の壁体１２ａの保持部３０に、消雪槽１０内に入れたフレーム部材２１ａをその挿通口３１から挿通する。
【００３１】
そして、壁体１２ａの上辺に設けられる延設部３５でフレーム部材２１ａを覆って折り返して、このフレーム部材２１ａを保持し、延設部３５の端縁３６に設けられる止着部３７の雌形部材３９を、側壁１２に設けられる止着部３７の雄形部材３８に係止する。そしてまた、温水送給口４０に温水送給パイプ４１を、排水口４５にホース４７を夫々接続する。保持部３０にフレーム部材２１ａを挿通し、延設部３５で覆うだけで保持フレーム２０を組み上げることができるので、融雪装置Ｓの組み立てが簡単になる。
【００３２】
この融雪装置Ｓを使用するときは、以下のようにする。図５（ａ）に示すように、この消雪槽１０に除雪した雪５５を投入していく。次に、図５（ａ）に示すように、ある程度雪５５が溜まってから、あるいは、雪５５を投入している間に、温水送給口４０のコック４２ａを操作してバルブ４２を開にし、消雪槽１０内に温水５６を送給する。
【００３３】
この際、消雪槽１０内に投入された雪５５は温水送給パイプ４１からの温水５６により溶かされていく。溶かされた雪５５及び温水送給パイプ４１からの温水５６により、消雪槽１０内の水位が上昇していき排水口４５に至ると、この排水口４５から水５７が排水されていく。排水口４５からの水５７は、ホース４７を介して下水に送水される。
これにより、除雪後の雪５５の処理の際には、温水送給パイプ４１からの温水５６を消雪槽１０の内部に送給すればよく、簡易に温水５６を利用して融雪される。そのため、除雪後の雪５５が溶かされて水になり下水に流されるので、いちいち雪捨て場に移送しなくてもよくなり、それだけ除雪作業の労力が低減される。
【００３４】
また、この際、排水口４５が温水送給パイプ４１よりも上に位置しているので、温水送給パイプ４１からの温水５６が消雪槽１０に投入された雪５５に行き渡ってから排水されるので、消雪槽１０内の雪５５が温水５６により効率よく溶かされる。
このようにして、消雪槽１０に順次雪５５を投入していき、消雪槽１０の周囲の雪（図示せず）を除雪していく。
【００３５】
また、この融雪装置Ｓを、持ち運ぶときは以下のようにして行なう。除雪後、消雪槽１０内の雪５５が溶けきって水５７のみになり、この融雪装置Ｓを折りたたむ前に、消雪槽１０の内部の水５７を外部に排出する。
この際、例えば、消雪槽１０を横転させて、開口１３から内部の水５７を下水に排出させる。または、温水送給口４０のコック４２ａを操作してバルブ４２を閉にしてから温水送給パイプ４１を取り外し、温水送給口４０のコック４２ａを操作してバルブ４２を開にして、温水送給口４０から消雪槽１０の水５７を排水していく。この際、温水送給口４０に、排水口４５に接続されたホース４７を接続し直して、下水に配管するようにしてもよい。
【００３６】
ある程度、消雪槽１０の内部の水５７が温水送給口４０から排出されて、消雪槽１０が軽くなってから横転させて残りの水５７を排出するようにする。
そのため、比較的非力な人であっても消雪槽１０内の水５７をあらかた減らしてから横転させられるようになり、消雪槽１０の内部の水５７を容易に排出させることができる。
【００３７】
次に、消雪槽１０の内部の水５７の排出を終えた後、この融雪装置Ｓを折りたたむ。この際には、図２に示すように、まず、止着部３７の雄形部材３８と雌形部材３９とを分離し、フレーム部材２１ａの横柱部２３を覆う壁体１２ａの上辺に形成される延設部３５を取り外してから、フレーム部材２１ａの縦柱部２２を保持部３０から抜いて、このフレーム部材２１ａを取り外す。
そして、取り外したフレーム部材２１ａは消雪槽１０内に入れるとともに、図３に示すように、長手方向に相対向する側壁１２を折りたたんで、長手方向に直交する方向に相対向するフレーム部材２１ｂ同士を合わせ、消雪槽１０を扁平状に折りたたむ。そのため、長手方向のフレーム部材２１ａを取り外すだけで保持フレーム２０を分解することができ、容易に融雪装置Ｓの折りたたみを行なうことができる。
【００３８】
この状態で、融雪装置Ｓを持ち運ぶ。この際には、例えば、長手方向に直交する方向に相対向するフレーム部材２１ｂの横柱部２３を持って持ち運ぶ。
そして、別の場所の除雪を行なう場合は、その除雪する場所に、この融雪装置Ｓを持ち運び、上記と同様にして除雪を行なう。このため、融雪装置Ｓを折りたたんだ状態で、様々な場所に容易に持ち運ぶことができ、除雪を容易に行なうことができるようになり、汎用性を向上させることができる。
【００３９】
即ち、この融雪装置Ｓは、持ち運び及び組み立てが容易にできることから、設置を容易に行なうことができる。
また、この融雪装置Ｓの不使用の際は、消雪槽１０を折りたたんで扁平状の状態で保管すればよく、場所をあまり必要としないので、保管も容易になる。
【００４０】
尚、本発明の実施の形態に係る融雪装置Ｓにおいては、除雪の際の融雪だけでなく、ペットの洗浄用の簡易な浴槽等としても用いることができる。
尚また、本発明の実施の形態に係る融雪装置Ｓにおいては、温水送給パイプ４１から送給される温水５６の供給源５０をお風呂の残り湯としたが、家庭用のボイラーで加温された温水５６でも良く、適宜変更して差し支えない。
【図面の簡単な説明】
【００４１】
【図１】本発明の実施の形態に係る融雪装置を示す斜視図である。
【図２】本発明の実施の形態に係る融雪装置のフレーム部材の取り付け方を示す斜視図である。
【図３】本発明の実施の形態に係る融雪装置の折りたたんだ状態を示す図である。
【図４】本発明の実施の形態に係る融雪装置を示す半断面図である。
【図５】本発明の実施の形態に係る融雪装置の融雪時の作用を示す断面図である。
【図６】従来の融雪装置の一例を示す図である。
【符号の説明】
【００４２】
Ｓ  融雪装置
１０  消雪槽
１１  底壁
１２  側壁
１２ａ  壁体
１３  開口
２０  保持フレーム
２１ａ，２１ｂ  フレーム部材
２２  縦柱部
２３  横柱部
２４  エルボ管
３０  保持部
３１  挿通口
３５  延設部
３６  端縁
３７  止着部
３８  雄形部材
３９  雌形部材
４０  温水送給口
４１  温水送給パイプ
４２  バルブ
４２ａ  コック
４３  差込部
４５  排水口
４６  挿入部
４７  ホース
５０  温水の供給源
５５  雪
５６  温水
５７  水
【図１】
2005097912.tif 000003
【図２】
2005097912.tif 000004
【図３】
2005097912.tif 000005
【図４】
2005097912.tif 000006
【図５】
2005097912.tif 000007
【図６】
2005097912.tif 000008